(57)【特許請求の範囲】
【請求項１】
肌当接側に位置する透液性表面シートと、肌非当接側に位置する不透液性裏面シートと、前記表裏面シートの間に介在する吸液性コアとから構成され、互いに対向する前胴周り域および後胴周り域と、それら胴周り域の間に位置する股下域とを備え、前記前後胴周り域における前記表面シートの外面を胴周り方向へ延びる実質的に不透液性の防漏シートが、前記胴周り域の端縁近傍に固着されて前記胴周り方向へ延びる固定端部と、前記胴周り域の両側縁近傍に固着されて縦方向へ延びる固定両側部と、前記固定端部から前記股下域の側へ延びる自由領域とを有する使い捨て着用物品において、
前記防漏シートが、前記固定両側部から胴周り方向内方に位置する前記コアの両側縁近傍を前記縦方向へ延びる一対の接合部によって前記胴周り域に固着され、前記防漏シートの自由領域が、前記固定両側部と前記接合部との間に位置する第１自由領域と、前記接合部の間に位置する第２自由領域とに区分され、前記第１及び第２自由領域がそれぞれポケットを形成しており、
前記胴周り方向へ延びる第１伸縮性弾性部材が、前記第１及び第２自由領域の内端縁に沿って伸長状態で取り付けられ、前記固定端部と前記第１弾性部材との間を前記縦方向へ所与寸法離間して前記胴周り方向へ延びる複数条の第２伸縮性弾性部材が、前記第１自由領域に伸長状態で取り付けられていることを特徴とする前記着用物品。
【発明の詳細な説明】
【０００１】
【発明の属する技術分野】
本発明は、排泄物を吸収、保持する使い捨て着用物品に関する。
【０００２】
【従来の技術】
特開平１１−１２８２６８号公報は、肌当接側に位置する透液性表面シートと、肌非当接側に位置する不透液性裏面シートと、表裏面シートの間に介在する吸液性コアとから構成され、前胴周り域および後胴周り域と、それら胴周り域の間に位置する股下域とを備え、胴周り方向へ延びる不透液性の防漏シートが前後胴周り域に取り付けられたオープン型の使い捨ておむつを開示している。
【０００３】
防漏シートは、前後胴周り域の端縁近傍に固着されて胴周り方向へ延びる固定端部と、前後胴周り域の両側縁近傍に固着されて縦方向へ延びる固定両側部と、固定端部から股下域の側に偏倚した位置を胴周り方向へ延びる自由領域とを有する。自由領域の内端縁近傍には、胴周り方向へ延びる伸縮性弾性部材が伸長状態で取り付けられている。このおむつでは、弾性部材が胴周り方向内方へ向かって収縮し、自由領域の内端縁近傍が表面シートの外面から離間することで、表面シートと防漏シートの自由領域との間に前後胴周り域から股下域へ向かって開口するポケットが形成される。このおむつは、排泄物をポケットに収容することができるので、前後胴周り域の端縁からの排泄物の漏れを防ぐことができる。このおむつは、オープン型のみならず、パンツ型にも転用できる記載がある。
【０００４】
【発明が解決しようとする課題】
防漏シートに取り付けられた弾性部材は、上述のように、防漏シートの自由端部を表面シートから離間させ、表面シートと防漏シートの自由端部との間にポケットを形成するためのものであり、着用者の胴周りを締め付けるものではない。前記公報に開示のおむつでは、防漏シートに着用者の胴周りを締め付ける機能はなく、防漏シートを利用しておむつのずれ下がりを防ぐことはできない。
【０００５】
本発明の課題は、胴周り方向へ延びる防漏シートを利用し、胴周り域の端縁からの排泄物の漏れとそのずれ下がりとを防ぐことができる使い捨て着用物品を提供することにある。
【０００６】
【課題を解決するための手段】
前記課題を解決するための本発明の前提は、肌当接側に位置する透液性表面シートと、肌非当接側に位置する不透液性裏面シートと、前記表裏面シートの間に介在する吸液性コアとから構成され、互いに対向する前胴周り域および後胴周り域と、それら胴周り域の間に位置する股下域とを備え、前記前後胴周り域における前記表面シートの外面を胴周り方向へ延びる実質的に不透液性の防漏シートが、前記胴周り域の端縁近傍に固着されて前記胴周り方向へ延びる固定端部と、前記胴周り域の両側縁近傍に固着されて縦方向へ延びる固定両側部と、前記固定端部から前記股下域の側へ延びる自由領域とを有する使い捨て着用物品である。
【０００７】
前記前提における本発明の特徴としては、前記防漏シートが、前記固定両側部から胴周り方向内方に位置する前記コアの両側縁近傍を前記縦方向へ延びる一対の接合部によって前記胴周り域に固着され、前記防漏シートの自由領域が、前記固定両側部と前記接合部との間に位置する第１自由領域と、前記接合部の間に位置する第２自由領域とに区分され、前記第１及び第２自由領域がそれぞれポケットを形成しており、前記胴周り方向へ延びる第１伸縮性弾性部材が、前記第１及び第２自由領域の内端縁に沿って伸長状態で取り付けられ、前記固定端部と前記第１弾性部材との間を前記縦方向へ所与寸法離間して前記胴周り方向へ延びる複数条の第２伸縮性弾性部材が、前記第１自由領域に伸長状態で取り付けられていることにある。
【０００８】
【０００９】
【発明の実施の形態】
添付の図面を参照し、本発明に係る使い捨て着用物品の詳細を、パンツ型の使い捨ておむつを例として説明すると、以下のとおりである。
【００１０】
図１，２は、使い捨ておむつ１Ａの部分破断斜視図と、パンツ型に成形する以前の状態で示すおむつ１Ａの部分破断斜視図とである。図１，２では、胴周り方向を矢印Ｘ、縦方向を矢印Ｙ１で示し、脚周り方向を矢印Ｙ２で示す。なお、表面シート２と裏面シート３との内面とは、コア４に対向する面をいい、それらシート２，３の外面とは、コア４に非対向の面をいう。
【００１１】
おむつ１Ａは、肌当接側に位置する透液性表面シート２と、肌非当接側に位置する不透液性裏面シート３と、それらシート２，３の間に介在する吸液性コア４とから構成されている。おむつ１Ａは、互いに対向する前胴周り域５および後胴周り域７と、前後胴周り域５，７の間に位置する股下域６とを有する。おむつ１Ａは、前後胴周り域５，７を胴周り方向へ延びる胴周り端縁８（端縁）と、前後胴周り域５，７を縦方向へ延びる胴周り側縁９（両側縁）と、股下域６を脚周り方向へ延びる脚周り側縁１０とを有する。
【００１２】
おむつ１Ａでは、胴周り側縁９近傍が合掌状に重なり合い、胴周り側縁９近傍が縦方向へ間欠的に並ぶ多数の熱融着線１１を介して固着されている。おむつ１Ａには、胴周り開口１２とその下方に一対の脚周り開口１３とが画成されている。おむつ１Ａは、図２に示すように、脚周り側縁１０が胴周り方向内方へ向かって弧を画き、その平面形状が略砂時計を呈する。
【００１３】
コア４は、股下域６から前後胴周り域５，７へ向かって延び、前後胴周り域５，７に位置して胴周り端縁８に並行する両端縁４ａと、胴周り側縁９および脚周り側縁１０に並行する両側縁４ｂとを有する。コア４は、表面シート２と裏面シート３との少なくとも一方の内面に接合されている。
【００１４】
前後胴周り域５，７には、表面シート２の外面を胴周り方向へ延びる実質的に不透液性の防漏シート１４が取り付けられている。脚周り側縁１０近傍には、表面シート２の外面を脚周り方向へ延びる実質的に不透液性の防漏カフ１５が取り付けられている。
【００１５】
胴周り端縁８近傍には、胴周り方向へ延びる複数条の胴周り用弾性部材１６が伸長状態で取り付けられている。脚周り側縁１０近傍には、脚周り方向へ延びる複数条の脚周り用弾性部材１７が伸長状態で取り付けられている。
【００１６】
防漏シート１４は、固定端部１４ａと固定両側部１４ｂと一対の接合部１８とによって前後胴周り域５，７に固着されている。防漏シート１４は、固定端部１４ａから股下域６の側に偏倚した位置を胴周り方向へ延びる自由領域１９を有する。固定端部１４ａは、胴周り端縁８近傍を胴周り方向へ延びている。固定両側部１４ｂは、胴周り側縁９近傍を縦方向へ延びている。接合部１８は、固定両側部１４ｂから胴周り方向内方に位置するコア４の両側縁４ｂの外側近傍を縦方向へ延びている。自由領域１９は、固定両側部１４ｂと接合部１８との間に位置する第１自由領域１９ａと、接合部１８の間に位置する第２自由領域１９ｂとに区分されている。
【００１７】
第１および第２領域１９ａ，１９ｂの股下域６の側に位置する内端縁２０近傍には、胴周り方向へ延びる１条の伸縮性弾性部材２１（第１伸縮性弾性部材）が伸長状態で取り付けられている。弾性部材２１は、胴周り側縁９にまで達していてもよい。
【００１８】
第１領域１９ａには、胴周り方向へ延びる複数条の伸縮性弾性部材２２（第２伸縮性弾性部材）が伸長状態で取り付けられている。弾性部材２２は、固定端部１４ａと弾性部材２１との間を縦方向へ所与寸法離間して並んでいる。弾性部材２２は、胴周り側縁９と接合部１８とにまで達していてもよい。
【００１９】
防漏カフ１５は、コア４の両側縁４ｂの外側に固着されて脚周り方向へ延びる固定縁部１５ａと、固定縁部１５ａに並行して脚周り方向へ延びる自由縁部１５ｂと、胴周り方向内方へ倒伏した状態で前後胴周り域５，７に固着された固定両端部１５ｃとを有する。固定両端部１５ｃは、表面シート２と防漏シート１４との間に介在している。防漏カフ１５では、固定縁部１５ａから横方向外方へ側部１５ｄが延びている。自由縁部１５ｂには、脚周り方向へ延びる伸縮性弾性部材２３が伸長状態で取り付けられている。弾性部材２３は、自由縁部１５ｂの一部に被覆されている。
【００２０】
図２の状態からパンツ型のおむつ１Ａに成形するには、表面シート２が内側になるように、おむつ１Ａを中心線Ｌで折曲して前後胴周り域５，７の胴周り側縁９近傍を合掌状に重ね合わせ、胴周り側縁９近傍を固着して前後胴周り域５，７を連結する。
【００２１】
おむつ１Ａでは、弾性部材２１が胴周り方向内方へ向かって収縮し、第２自由領域１９ｂの内端縁２０近傍が表面シート２の外面から離間する。表面シート２と防漏シート１４の第２自由領域１９ｂとの間には、前後胴周り域５，７から股下域６へ向かって開口するポケットＰが画成されている。おむつ１Ａでは、排泄物が表面シート２上を拡散して胴周り端縁８に達したとしても、排泄物がポケットＰに収容されるので、胴周り端縁８からの排泄物の漏れを防ぐことができる。
【００２２】
おむつ１Ａでは、それを着用したときに、第１自由領域１９ａに取り付けられた複数条の弾性部材２２の伸長応力を利用して着用者の胴周りを締め付けることができ、胴周り用弾性部材１６と相俟って、おむつ１Ａのずれ下がりを防ぐことができる。おむつ１Ａでは、防漏シート１４の第１自由領域１９ｂを着用者の胴周りの締め付けに利用することができる。
【００２３】
おむつ１Ａでは、股下域６が表面シート２を内側にして脚周り方向へ湾曲すると、弾性部材２３が脚周り方向内方へ向かって収縮し、防漏カフ１５の自由縁部１５ｂが表面シート２の外面から起立する。おむつ１Ａでは、自由縁部１５ｂが排泄物に対する障壁を形成するので、脚周り側縁１０からの排泄物の漏れを防ぐことができる。
【００２４】
図３，４は、図２のＡ−Ａ線矢視断面図と、図２のＢ−Ｂ線矢視断面図とであり、図５は、図２のＣ−Ｃ線端面図である。胴周り端縁８近傍では、表面シート２の端部２ａと裏面シート３の端部３ａとがコア４の両端縁４ａから縦方向外方へ延び、それらシート２，３の端部２ａ，３ａどうしが互いに重なり合った状態で固着されている。
【００２５】
胴周り側縁９近傍と脚周り側縁１０近傍とでは、表面シート２の側部２ｂがコア４の両側縁４ｂから胴周り方向外方へ延び、表面シート２の側部２ｂからさらに胴周り方向外方へ裏面シート３の側部３ｂと防漏カフ１５の側部１５ｄとが延びている。胴周り側縁９近傍と脚周り側縁１０近傍とでは、表面シート２と裏面シート３との側部２ｂ，３ｂどうしが互いに重なり合った状態で固着され、裏面シート３と防漏カフ１５との側部３ｂ，１５ｄどうしが互いに重なり合った状態で固着されている。
【００２６】
防漏カフ１５の固定縁部１５ａは、表面シート２の側部２ｂ外面に固着されている。防漏カフ１５の固定両端部１５ｃは、表面シート２の端部２ａ外面に固着されている。胴周り用弾性部材１６は、端部２ａと端部３ａとの間に介在し、それら端部２ａ，３ａに固着されている。脚周り用弾性部材１７は、側部３ｂと側部１５ｄとの間に介在し、それら側部３ｂ，１５ｄに固着されている。
【００２７】
防漏シート１４は、その内端縁２０で折曲された互いに重なり合う二重のものである。防漏シート１４の固定端部１４ａは、表面シート２の端部２ａ外面と防漏カフ１５の固定両端部１５ｃおよび側部１５ｄとに固着されている。防漏シート１４の固定両側部１４ｂは、前後胴周り域５，７に位置する防漏カフ１５の側部１５ｄに固着されている。接合部１８では、防漏シート１４が防漏カフ１５の側部１５ｄに固着されている。弾性部材２１，２２は、防漏シート１４の間に介在し、それに固着されている。
【００２８】
図６，７は、他の実施の形態を示す図２と同様のおむつ１Ｂの部分破断斜視図と、図６のＤ−Ｄ線端面図とである。このおむつ１Ｂが図１のそれと異なる点は、防漏シート１４の第１自由領域１９ａが前後胴周り域５，７に固着されていることにある。第１自由領域１９ａは、前後胴周り域５，７に位置する防漏カフ１５の側部１５ｄに固着されている。
【００２９】
このおむつ１Ｂは、第１自由領域１９ａが前後胴周り域５，７から離間することなく、第１自由領域１９ａと前後胴周り域５，７とが一体となって着用者の胴周りを締め付け、おむつ１Ｂのずれ下がりを防ぐことができる。おむつ１Ｂでは、第１自由領域１９ａが前後胴周り域５，７から離間する場合と比較し、前後胴周り域５，７に弾性部材２２の伸長応力を確実に作用させることができる。
【００３０】
おむつ１Ｂでは、表面シート２と防漏シート１４の第２自由領域１９ｂとの間に前後胴周り域５，７から股下域６へ向かって開口するポケットＰが画成され、排泄物がポケットＰに収容されるので、胴周り端縁８からの排泄物の漏れを防ぐことができる。
【００３１】
表裏面シート２，３や防漏シート１４、カフ１５に対する弾性部材１６，１７，２１，２２の固着には、ホットメルト型接着剤を使用することが好ましい。シート２，３，１４やカフ１５と弾性部材１６，１７，２１，２２とのホットメルト型接着剤による固着には、接着剤をスパイラル状やスプレー状に塗布するパターンを適宜選択することができる。ただし、弾性部材１６，１７，２１，２２をシート２，３，１４やカフ１５に確実に固着するには、弾性部材１６，１７，２１，２２の全表面積に対する接着剤の塗工面積率が２０〜８０％の範囲にあることが好ましい。接着剤の塗工面積率が２０％未満では、弾性部材１６，１７，２１，２２がシート２，３，１４やカフ１５から外れてしまう場合がある。接着剤の塗工面積率が８０％を超過すると、弾性部材１６，１７，２１，２２の収縮が接着剤によって妨げられてしまう。
【００３２】
表面シート２には、親水性または疎水性の繊維不織布、または、微細な多数の開孔を有するプラスチックフィルムを使用することができる。裏面シート３や防漏シート１４、防漏カフ１５には、疎水性繊維不織布、通気不透液性のプラスチックフィルム、疎水性繊維不織布を重ね合わせた複合不織布、疎水性繊維不織布と通気不透液性のプラスチックフィルムとを重ね合わせた複合シートのいずれかを使用することができる。
【００３３】
裏面シート３や防漏シート１４、防漏カフ１５には、高い耐水性を有するメルトブローン法による繊維不織布を、高い強度を有しかつ柔軟性に富んだスパンボンド法による繊維不織布で挟んだ複合不織布を使用することもできる。
【００３４】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維または並列型複合繊維を使用することができる。
【００３５】
コア４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア４は、それの型崩れやポリマー粒子の脱落を防止するため、全体がティッシュペーパーに被覆、接合されていることが好ましい。ポリマー粒子としては、デンプン系、セルロース系、合成ポリマー系のものを使用することができる。
【００３６】
表裏面シート２，３の固着、コア４の接合、防漏シート１４や防漏カフ１５の固着には、ホットメルト型接着剤による接着、または、ヒートシールやソニックシール等の熱による溶着手段を利用することができる。
【００３７】
それらおむつ１Ａ，１Ｂでは、防漏シート１４が前後胴周り域５，７のうちの少なくとも一方に取り付けられていればよい。この発明は、パンツ型の使い捨ておむつ１Ａ，１Ｂの他に、オープン型の使い捨ておむつにも実施することができる。
【００３８】
【発明の効果】
本発明にかかる使い捨て着用物品によれば、第１および第２自由領域に延びる第１伸縮性弾性部材が胴周り方向内方へ向かって収縮し、第２自由領域の内端縁近傍が表面シートの外面から離間することで、表面シートと防漏シートの第２自由領域との間に胴周り域から股下域へ向かって開口するポケットが画成される。このおむつでは、排泄物がポケットに収容されるので、胴周り端縁からの排泄物の漏れを防ぐことができる。このおむつでは、それを着用したときに、第１自由領域に取り付けられた複数条の第２伸縮性弾性部材の伸長応力を利用して着用者の胴周りを締め付けることができ、おむつのずれ下がりを防ぐことができる。このおむつでは、防漏シートの第１自由領域を着用者の胴周りの締め付けに利用することができる。
【００３９】
防漏シートの第１自由領域が胴周り域に固着されたおむつでは、胴周り域に第２伸縮性弾性部材の伸長応力を確実に作用させることができ、第１自由領域と胴周り域とが一体となって着用者の胴周りを締め付けることで、おむつのずれ下がりを防ぐことができる。
【図面の簡単な説明】
【図１】  使い捨ておむつの部分破断斜視図。
【図２】  前後へ展開した状態で示すおむつの部分破断斜視図。
【図３】  図２のＡ−Ａ線矢視断面図。
【図４】  図２のＢ−Ｂ線矢視断面図。
【図５】  図２のＣ−Ｃ線端面図。
【図６】他の実施の形態を示す図２と同様のおむつの部分破断斜視図。
【図７】  図６のＤ−Ｄ線端面図。
【符号の説明】
１Ａ，１Ｂ    パンツ型の使い捨ておむつ（使い捨て着用物品）
２            透液性表面シート
３            不透液性裏面シート
４            吸液性コア
４ｂ          両側縁
５            前胴周り域
６            股下域
７            後胴周り域
８            胴周り端縁（端縁）
９            胴周り側縁（両側縁）
１４            防漏シート
１４ａ          固定端部
１４ｂ          固定両側部
１８            接合部
１９            自由領域
１９ａ          第１自由領域
１９ｂ          第２自由領域
２０            内端縁
２１            伸縮性弾性部材（第１伸縮性弾性部材）
２２            伸縮性弾性部材（第２伸縮性弾性部材）
【図１】
0003771466.tif 000002
【図２】
0003771466.tif 000003
【図３】
0003771466.tif 000004
【図４】
0003771466.tif 000005
【図５】
0003771466.tif 000006
【図６】
0003771466.tif 000007
【図７】
0003771466.tif 000008